(57)【要約】      （修正有）【課題】装着が容易で、外部に露出することがなく、頭の形状やヘアスタイルに関らず、自然で優美なヘアスタイルを整形することができるヘアスタイル整形具を提供する。【解決手段】ヘアスタイル整形具１は、頭髪の土台となる変形可能なベース部材１０と、ベース部材に取り付けられ、ベース部材の形状を保持するワイヤ（形状保持部材）と、頭髪を挟持可能なクリップ部材４０とを備える。ベース部材とクリップ部材とは連結部材３０によって連結されている。連結部材は、クリップ部材の位置を保持しつつ、ベース部材の変形を許容するようにベース部材とクリップ部材とを連結する。ベース部材は略楕円形状を有し、形状保持部材はベース部材に内設されていることが好ましい。【選択図】図４
0003195759.tif 000002
【実用新案登録請求の範囲】
【請求項１】
使用者の頭髪の土台となる変形可能なベース部材と、
前記ベース部材に取り付けられ、前記ベース部材の形状を保持する形状保持部材と、
前記使用者の頭髪を挟持可能なクリップ部材と、
前記ベース部材と前記クリップ部材とを連結する連結部材であって、前記クリップ部材の位置を保持しつつ前記ベース部材の変形を許容する連結部材と、
を備えることを特徴とするヘアスタイル整形具。
【請求項２】
前記ベース部材が略楕円形状を有していることを特徴とする請求項１に記載のヘアスタイル整形具。
【請求項３】
前記形状保持部材が前記ベース部材に内設されていることを特徴とする請求項１又は２に記載のヘアスタイル整形具。
【請求項４】
前記形状保持部材がワイヤで構成されていることを特徴とする請求項１から３のいずれか一項に記載のヘアスタイル整形具。
【請求項５】
前記クリップ部材は、
前記連結部材に取り付けられる基部であって、弾性力によって第１の状態から第２の状態に変形可能な基部と、
前記基部に接続される１以上の挟持片と、
を有し、
前記挟持片は、前記基部が前記第１の状態にあるときに前記基部から離間し、前記基部が第２の状態にあるときに前記基部に接触して前記基部を押圧する、
ことを特徴とする請求項１から４のいずれか一項に記載のヘアスタイル整形具。
【請求項６】
前記連結部材は、前記ベース部材と前記クリップ部材とを離間可能に連結することを特徴とする請求項１から５のいずれか一項に記載のヘアスタイル整形具。
【請求項７】
前記ベース部材が面ファスナで形成されていることを特徴とする請求項１から６のいずれか一項にヘアスタイル整形具。
【請求項８】
前記連結部材が面ファスナで形成されていることを特徴とする請求項１から７のいずれか一項に記載のヘアスタイル整形具。
【考案の詳細な説明】
【技術分野】
【０００１】
本考案は、ヘアスタイル整形具に係り、特に、ヘアスタイルの土台となるヘアスタイル整形具に関するものである。
【背景技術】
【０００２】
女性の印象を華やかに見せる手段として、編み込みアレンジ、まとめ髪、ポニーテール、ボブスタイルなどの種々のヘアスタイルが考案されている。これらのヘアスタイルの中で、例えば、編み込みアレンジ、まとめ髪、ポニーテールなどのヘアスタイルは、頭髪の生え方向と逆側に頭髪を引っ張った上で頭髪を束ねて形成するため、概して、頭の形状が鮮明に現れてしまう。そのため、後頭部が丸みのない形状（いわゆる絶壁）である等、頭の形状が歪であると、編み込みアレンジ、まとめ髪、ポニーテールなどのヘアスタイルを自然で優美に形成することが困難となる。
【０００３】
このような問題を解決するために、クッション状の調整部材を、頭部のいわゆる絶壁部分などに配置した後に、この調整部材に頭髪を被せてヘアスタイルの外観を自然で優美に整えることが行われている。しかしながら、このような従来の方法では、個人の頭の形状やヘアスタイルの種類に応じて別の調整部材を用意する必要があるため、１つの調整部材で多様なヘアスタイルなどに対応することが困難である。また、調整部材を頭部に固定するために、適宜ヘアピンなどを用いる必要があるため、ヘアアレンジに時間と労力を要してしまう。さらに、特に頭頂部や後頭部に調整部材をヘアピンで固定する際に、適切に調整部材が頭部に固定されているか視認することが困難であるため、調整部材が完全に頭髪によって被覆されずに一部が露出してしまうおそれがある。
【考案の概要】
【考案が解決しようとする課題】
【０００４】
本考案は、このような従来技術の問題点に鑑みてなされたもので、装着が容易で、外部に露出することがないヘアスタイル整形具であって、頭の形状やヘアスタイルに関らず、一のヘアスタイル整形具で、自然で優美な全体的に整ったシルエットのヘアスタイルを整形することのできるヘアスタイル整形具を提供することを目的とする。
【課題を解決するための手段】
【０００５】
本考案の一実施態様によれば、装着が容易で、外部に露出することがないヘアスタイル整形具であって、頭の形状やヘアスタイルに関らず、一のヘアスタイル整形具で、自然で優美なヘアスタイルを整形することのできるヘアスタイル整形具が提供される。このヘアスタイル整形具は、使用者の頭髪の土台となる変形可能なベース部材と、上記ベース部材に取り付けられ、上記ベース部材の形状を保持する形状保持部材と、上記使用者の頭髪を挟持可能なクリップ部材とを備える。上記ベース部材と上記クリップ部材とは、上記クリップ部材の位置を保持しつつ上記ベース部材の変形を許容する連結部材によって連結される。
【０００６】
このように、本考案によれば、使用者の頭髪を挟持可能なクリップ部材を備えているため、使用者が視認することの困難な頭頂部や後頭部であっても、ヘアスタイル整形具を容易に装着することができる。また、ヘアスタイル整形具は、形状保持部材が取り付けられた変形可能なベース部材と、上記クリップ部材と上記ベース部材とを連結する連結部材とを備えており、上記連結部材は、上記クリップ部材の位置を保持しつつ上記ベース部材の変形を許容するように構成されているため、頭表面からベース部材の頂部までの間隔を保った状態でヘアスタイル整形具を頭部に装着することができる。そのため、頭髪をベース部材に被せた場合、盛り上がりのあるヘアスタイルを形成することができる。また、適宜ベース部材を変形させることができるため、頭の形状やヘアスタイルによらず、一のヘアスタイル整形具で、自然で優美な全体的に整ったシルエットのヘアスタイルを形成することができる。さらに、頭髪がヘアスタイル整形具に完全に被さらずに一部が露出した場合には、ヘアスタイル整形具が完全に頭髪に被覆されるように適宜その形状を調整することができる。
【０００７】
ここで、上記ベース部材を略楕円形状となるように形成してもよい。また、上記形状保持部材を上記ベース部材に内設することが好ましい。さらに、上記形状保持部材をワイヤで構成することが好ましい。このような構成により、形状保持部材が外部から視認されることを回避しつつ、ベース部材の形状保持性と変形性を確保することができる。
【０００８】
ここで、上記クリップ部材を、上記連結部材に取り付けられる基部と、上記基部に接続される１以上の挟持片とを備えるように構成することが好ましい。また、上記基部は、弾性力によって第１の状態から第２の状態に変形可能に構成されることが好ましい。さらに、上記１以上の挟持片は、上記基部が第１の状態にあるときに上記基部から離間し、上記基部が上記第２の状態にあるときに上記基部に接触して上記基部を押圧するように構成されることが好ましい。このような構成により、基部を例えば上下に湾曲させることにより頭髪を挟持することができるので、ヘアスタイル整形具をより容易に頭部に装着することができる。
【０００９】
また、上記連結部材を、上記ベース部材と上記クリップ部材とを離間可能に連結するように構成することが好ましい。このような構成により、上記ベース部材と上記クリップ部材との間に一定の間隔が生じた状態でヘアスタイル整形具を頭部に装着することができるため、盛り上がりのあるヘアスタイルを整形することができる。
【００１０】
さらに、上記ベース部材を面ファスナで形成することが好ましい。このような構成により、ベース部材を被覆する頭髪が微小な突起に絡まり係止されるため、ヘアスタイルの型崩れを防止することができる。また、上記連結部材を面ファスナで形成することが好ましい。このような構成により、頭髪が連結部材の微小な突起に絡まり、ヘアスタイル整形具が頭部にしっかりと係止されるため、ヘアスタイル整形具が頭部から落下することがない。
【考案の効果】
【００１１】
本考案によれば、使用者の頭髪を挟持可能なクリップ部材を備えているため、使用者が視認することが困難な頭頂部や後頭部であっても、ヘアスタイル整形具を容易に装着することができる。また、形状保持部材が取り付けられた変形可能なベース部材と、上記クリップ部材と上記ベース部材とを連結する連結部材であって、上記クリップ部材の位置を保持しつつ上記ベース部材の変形を許容する上記連結部材とを備えているため、頭髪をベース部材に被せた状態で適宜ベース部材を変形させることができる。したがって、頭の形状やヘアスタイルによらず、一のヘアスタイル整形具で、自然で優美な全体的に整ったシルエットのヘアスタイルを形成することができる。また、頭髪がヘアスタイル整形具に完全に被さらずに一部が露出した場合には、ヘアスタイル整形具が完全に頭髪に被覆されるように適宜その形状を調整することができる。
【図面の簡単な説明】
【００１２】
【図１】本考案の一実施形態におけるヘアスタイル整形具を示す平面図である。
【図２】図１のヘアスタイル整形具の底面図である。
【図３】図１のヘアスタイル整形具の左側面図である。
【図４】図１のヘアスタイル整形具の正面図である。
【図５】図１のヘアスタイル整形具の正面図である。
【図６】図１のヘアスタイル整形具の正面図である。
【考案を実施するための形態】
【００１３】
以下、本考案に係るヘアアレンジ具の実施形態について図１から図６を参照して詳細に説明する。なお、図１から図６において、同一又は相当する構成要素には、同一の符号を付して重複した説明を省略する。また、図面においては、理解しやすいようにサイズが誇張されている場合がある。
【００１４】
図１は本考案の一実施形態におけるヘアスタイル整形具１を示す平面図、図２は図１に示すヘアスタイル整形具１の底面図、図３は左側面図、図４は正面図である。図１から図４に示すように、本実施形態におけるヘアスタイル整形具１は、使用者の頭髪の土台となるベース部材１０と、ベース部材１０に取り付けられる変形可能なワイヤ（形状保持部材）２０と、上記使用者の頭髪を挟持可能なクリップ部材４０と、ベース部材１０とクリップ部材４０とを連結する連結部材３０とを備える。
【００１５】
図１及び図２に示すように、ベース部材１０は、Ｘ方向（長手方向）に長い略楕円の外形を有している。また、ベース部材１０は、２つの面ファスナ（上部面ファスナ１１、下部面ファスナ１２）が互いに糸などで縫合されることによって形成されている。上部面ファスナ１１及び下部面ファスナ１２は、ベース部材１０の外周部に沿って形成された縫合部１３Ａと、縫合部１３Ａよりも内側に形成された縫合部１３Ｂにおいて互いに縫合されており、一体となってベース部材１０を形成している。また、図３に示すように、上部面ファスナ１１の外面及び下部面ファスナ１２の外面に、それぞれ微小な突起５０が形成されている。なお、ベース部材１０の外形は適宜変更することができる。
【００１６】
図１及び図２に示すように、ワイヤ２０は、上部面ファスナ１１と下部面ファスナ１２との間に配置されている。また、ワイヤ２０は、縫合部１３Ａと縫合部１３Ｂとの間に周設されている。このような構成により、ワイヤ２０は、上部面ファスナ１１と下部面ファスナ１２との間に（すなわち、ベース部材１０の内部に）しっかりと固定されている。このように、ベース部材１０にはワイヤ２０が内設されているため、ベース部材１０を自在に変形させてワイヤ２０によりその形状を保持することができる。例えば図５に示すように、ベース部材１０をＺ方向（鉛直方向）上方に変形させてその形状を保持することができる。なお、ワイヤ２０として例えばスチールワイヤ（針金）などを用いることができる。また、ワイヤ２０を必ずしもベース部材１０に内設する必要はない。例えば、ワイヤ２０を下部面ファスナ１２の外面に周設することもできる。
【００１７】
図５に示すように、連結部材３０はリング状に形成されており、その上部３１がベース部材１０の下部面ファスナ１２に接合されている。これにより、連結部材３０の上部３１は、ベース部材１０と一体になっている。そのため、連結部材３０の上部３１はベース部材１０の変形に伴って変形するようになっている。例えば図５に示すように、ベース部材１０がＺ方向上方に湾曲した場合には、連結部材３０の上部３１もＺ方向上方に湾曲するように変形する。なお、連結部材３０と下部面ファスナ１２とを、糸などで縫合して互いに接合させてもよい。また、連結部材３０をリング状に形成することなく、連結部材３０のＸ方向における両端部を下部面ファスナ１２に接合させるように構成してもよい。
【００１８】
ここで、図３及び図４に示すように、連結部材３０は、外面に微小な突起５１が形成されたベルト状の面ファスナで形成されている。また、連結部材３０は、Ｚ方向の厚みを有しており（図３及び図４参照）、下部面ファスナ１２を平面視した場合に、連結部材３０が下部面ファスナ１２からはみ出さない程度にＹ方向（幅方向）に幅広な構成となっている（図２参照）。すなわち、連結部材３０は、幅広で厚みがある構造を有している。
【００１９】
図５に示すように、連結部材３０は、ベース部材１０が例えばＺ方向上方に湾曲するように変形した場合でも、下部３２がベース部材１０の変形に伴ってＺ方向上方に湾曲してしまうことがないように構成されている。すなわち、連結部材３０は、上部３１がベース部材１０と共に変形した場合でも、下部３２の位置が保持されるように構成されている。したがって、図５に示すように、ベース部材１０をＺ方向上方に湾曲させると、連結部材３０の上部３１と下部３２とが互いに大きく離間した状態（開口状態）となる。
【００２０】
図２に示すように、本実施形態において、クリップ部材４０は、基部４１と、基部４１に接続されて互いにＹ方向に向かって平行に延びる９つの挟持片４２Ａ〜４２Ｉとを備えるいわゆるワンタッチピンにより構成されている。基部４１は、長方形の形状をしており、その四隅には、縫合用の糸を通すための糸通し孔４３が設けられている。基部４１は、糸通し孔４３において糸などで縫合され、連結部材３０の下部３２に固定される。なお、挟持片４２Ａ〜４２Ｉの延びる方向はＹ方向に限られない。例えば、挟持片４２Ａ〜４２ＩがそれぞれＸ方向に延びるように、クリップ部材４０を連結部材３０の下部３２に取り付けてもよい。また、基部４１と連結部材３０とをネジなどの接合部材を用いて接合してもよい。さらに、挟持片４２Ａ〜４２Ｉの数や基部４１の形状を適宜変更してもよい。
【００２１】
クリップ部材４０の基部４１は、Ｚ方向上下に反り返り可能となっている。図２から図４は基部４１がＺ方向下方に反り返っている状態（第１の状態）を示し、図５及び図６は基部４１がＺ方向上方に反り返っている状態（第２の状態）を示している。図３及び図４に示すように、第１の状態では、挟持片４２Ａ〜４２Ｉがそれぞれ基部４１から離間した状態となっている。一方、第１の状態にあるクリップ部材４０の基部４１をＺ方向下方に反転させると、挟持片４２Ａ〜４２Ｉは、基部４１の反転により生じる弾性力によって基部４１の方向に付勢される。その結果、挟持片４２Ａ〜４２Ｉがそれぞれ基部４１に接触し基部４１を押圧して、図５及び図６に示す第２の状態となる。このように、基部４１をＺ方向に上下させることによりクリップ部材４０を開閉することができる。したがって、基部４１と挟持片４２Ａ〜４２Ｉとの間で頭髪を挟持することによって、ヘアスタイル整形具１を使用者の頭部に固定することができる。なお、基部４１の上記反り返りの程度はヘアスタイル整形具１の全体のスケールと比較して微小である。そのため、図２から図６において、上記反り返りが十分に表されていない場合がある。
【００２２】
ここで、ヘアスタイル整形具１は、例えば以下のように使用することができる。まず、頭の所望の位置にある頭髪の上半分を持ち上げる。その後、クリップ部材４０を上記第１の状態（図３，図４参照）にした上、持ち上げた頭髪の根元部分が基部４１と挟持片４２Ａ〜４２Ｉとの間に位置するようにヘアスタイル整形具１をセットする。さらにその後、クリップ部材４０を第２の状態（図６参照）にする。これにより、持ち上げた頭髪の根元部分がクリップ部材４０によって挟持され、使用者の頭部に固定される。このように、本実施形態によれば、ヘアピンなどを使用せずにヘアスタイル整形具１を頭部に固定することができるため、後頭部のような視認することが困難な箇所であっても、ヘアスタイル整形具１を容易に頭部に固定することができる。
【００２３】
ところで、この場合において、ベース部材１０の下部面ファスナ１２及び連結部材３０の外面が、概して使用者の頭髪の根元部分に接触することとなる。この点、図６に示すように、下部面ファスナ１２の外面及び連結部材３０の外面には、それぞれ微小な突起５０，５１が形成されている。したがって、使用時には頭髪の根元が微小な突起５０，５１に絡まるため、ヘアスタイル整形具１は使用者の頭部にしっかりと係止され固定される。このように、ヘアスタイル整形具１は使用者の頭部にしっかりと固定されているため、頭部から落下することがない。
【００２４】
上記のようにヘアスタイル整形具１を頭部に固定した後は、使用者の頭の形状やヘアスタイルに応じて、ヘアスタイル整形具１を所望の形状に調整する。例えば、図５に示すように、ベース部材１０をＺ方向上方に湾曲させるように変形させる。そうすると、上記のように、連結部材３０は開口状態となる。すなわち、クリップ部材４０によって挟持された頭髪の根元部分からベース部材１０の湾曲した頂部１４までに所定の開口部が形成される（図５参照）。したがって、持ち上げていた頭髪をベース部材１０に被せることによって、ヘアスタイル整形具１を固定した箇所付近に、盛り上がりのあるヘアスタイルを形成することができる。なお、この場合において、連結部材３０の下部３２をＺ方向に上下にさせることにより、ヘアスタイルの盛り上がりの高さを調整することも可能である。
【００２５】
ここで、ヘアスタイル整形具１は上記のように頭部にしっかりと固定されているため、ヘアスタイル整形具１を頭部に固定した後に、鏡などで視認しながら、手などでベース部材１０の形状を適宜修正することができる。これにより、自然で優美な全体的に整ったシルエットのヘアスタイルを形成することができる。また、ベース部材１０の一部が露出している場合には、完全に頭髪に被覆されるようにベース部材１０の形状を調整することもできる。さらに、図５に示すように、上部面ファスナ１１の外面には微小な突起５０が形成されている。そのため、ベース部材１０を被覆する頭髪が微小な突起５０に絡まり係止されるため、ヘアスタイルが型崩れすることがない。
【００２６】
これまで本考案の一実施形態について説明したが、本考案は上述の実施形態に限定されず、その技術的思想の範囲内において種々異なる形態にて実施されてよいものであることは言うまでもない。例えば、ベース部材１０の上部面ファスナ１１、下部面ファスナ１２、連結部材３０を、互いに同種の面ファスナで形成してもよい。あるいは、それぞれ別種の面ファスナで形成してもよい。また、頭部にしっかりと固定することができ、ヘアスタイルの型崩れを防止することができるのであれば、必ずしもベース部材１０や連結部材３０を面ファスナで形成する必要はない。
【００２７】
なお、本明細書において使用した用語「上」、「下」、「外」その他の位置関係を示す用語は、図示した実施形態との関連において使用されているのであり、構成要素の相対的な位置関係によって変化するものである。
【符号の説明】
【００２８】
１    ヘアスタイル整形具
１０    ベース部材
１１    上部面ファスナ
１２    下部面ファスナ
１３Ａ，１３Ｂ  縫合部
１４    頂部
２０    ワイヤ
３０    連結部材
３１    上部
３２    下部
４０    クリップ部材
４１    基部
４２Ａ〜４２Ｉ  挟持片
４３    糸通し孔
５０，５１    突起
【図１】
0003195759.tif 000003
【図２】
0003195759.tif 000004
【図３】
0003195759.tif 000005
【図４】
0003195759.tif 000006
【図５】
0003195759.tif 000007
【図６】
0003195759.tif 000008